(57)【要約】      （修正有）【課題】転送対象の情報を含む複数枚の画像を容易に且つ正しく読み取ること。【解決手段】電子辞書１０から辞書専用学習サイトへの転送対象データを連結２次元コードＱ１、Ｑ２、…に変換し表示部１７の所定の位置に順番に表示させ、タブレット端末２０により順番に読み取りデコードし学習サイトに接続して転送する。タブレット端末２０は、各連結２次元コードを自動撮影して読み取る毎に、読み取った連結２次元コードのパリティと予め登録した辞書ＩＤに応じた確認音声データＣＳを生成して音声出力する。電子辞書１０は、音声入力部１６から入力される確認音声データＣＳに含まれるパリティと辞書ＩＤを解析して表示済みの連結２次元コードのパリティと辞書自身の辞書ＩＤに一致するかを判定し、一致したと判定する毎に次の連結２次元コード＋１を表示部１７の所定の位置に表示させタブレット端末２０に読み取らせる。【選択図】図６
2020071765.tif 000002
【特許請求の範囲】
【請求項１】
表示部と、
音声入力部と、
第１制御部と、を備え、
前記第１制御部は、
転送対象の情報を含む複数の画像のうち、第１の画像を前記表示部に表示させ、
前記第１の画像を表示させた後、前記複数の画像の読み取りを行う外部の読取装置から出力された、画像の読み取りを確認するための確認音声信号が前記音声入力部に入力されたことを判定し、
前記確認音声信号の入力を判定する毎に、前記表示部に、前記表示されている第１の画像から、前記複数の画像のうちの第２以降の画像に切り替えて表示させる、
表示装置。
【請求項２】
前記第１制御部は、
前記第１の画像を表示させた後、前記外部の読取装置から出力された前記確認音声信号を前記音声入力部により入力させ、
前記確認音声信号が入力される毎に、前記確認音声信号に含まれる表示装置の識別情報と画像の確認情報が本表示装置の識別情報と前記表示部に表示させた画像に対応する確認情報に一致するかを判定し、
前記一致していることを判定する毎に、前記表示部に、前記表示されている第１の画像から、前記複数の画像のうちの第２以降の画像に切り替えて表示させる、
請求項１に記載の表示装置。
【請求項３】
前記複数の画像は、転送対象の情報を分割して符号化した連結２次元コードまたは連結１次元コードの画像であり、
前記画像の確認情報は、前記連結２次元コードまたは連結１次元コードのパリティ情報である、
請求項２に記載の表示装置。
【請求項４】
撮像部と、
音声出力部と、
第２制御部と、を備え、
前記第２制御部は、
前記撮像部により、外部の表示装置の表示部に切り替えて表示される、転送対象の情報を含む複数の画像のうちの１つの画像を撮影する毎に、画像の読み取りを確認するための確認音声信号を前記音声出力部に出力させ、
前記撮像部により撮影された前記複数の画像から前記複数の画像に含まれる転送対象の情報を取得する、
読取装置。
【請求項５】
前記第２制御部は、
前記撮像部により、外部の表示装置の表示部に切り替えて表示される、転送対象の情報を含む複数の画像のうちの１つの画像を撮影する毎に、前記表示装置の識別情報と前記撮影した画像の確認情報とを含ませた前記確認音声信号を生成し、
前記生成した確認音声信号を前記音声出力部に出力させる、
請求項４に記載の読取装置。
【請求項６】
前記複数の画像は、転送対象の情報を分割して符号化した連結２次元コードまたは連結１次元コードの画像であり、
前記画像の確認情報は、前記連結２次元コードまたは連結１次元コードのパリティ情報である、
請求項５に記載の読取装置。
【請求項７】
表示装置と読取装置とを含んで構成され、
前記表示装置は、
表示部と、
音声入力部と、
第１制御部と、を備え、
前記第１制御部は、
転送対象の情報を含む複数の画像のうち、第１の画像を前記表示部に表示させ、
前記第１の画像を表示させた後、前記読取装置から出力された確認音声信号が前記音声入力部に入力されたことを判定し、
前記確認音声信号の入力を判定する毎に、前記表示部に、前記表示されている第１の画像から、前記複数の画像のうちの第２以降の画像に切り替えて表示させ、
前記読取装置は、
撮像部と、
音声出力部と、
第２制御部と、を備え、
前記第２制御部は、
前記撮像部により前記表示装置の表示部に表示された１つの画像を撮影する毎に、前記音声出力部により前記確認音声信号を出力させ、
前記撮像部により撮影された前記複数の画像から前記複数の画像に含まれる転送対象の情報を取得する、
情報読取システム。
【請求項８】
表示部と音声入力部と第１制御部とを備えた表示装置と、撮像部と音声出力部と第２制御部とを備えた読取装置と、を含んで構成される情報読取システムの情報読取方法であって、
前記表示装置の前記第１制御部により、
転送対象の情報を含む複数の画像のうち、第１の画像を前記表示部に表示させ、
前記第１の画像を表示させた後、前記読取装置から出力された確認音声信号が前記音声入力部に入力されたことを判定し、
前記確認音声信号の入力を判定する毎に、前記表示部に、前記表示されている第１の画像から、前記複数の画像のうちの第２以降の画像に切り替えて表示させ、
前記読取装置の前記第２制御部により、
前記撮像部により前記表示装置の表示部に表示された１つの画像を撮影する毎に、前記音声出力部により前記確認音声信号を出力させ、
前記撮像部により撮影された前記複数の画像から前記複数の画像に含まれる転送対象の情報を取得する、
情報読取方法。
【請求項９】
表示部と音声入力部と第１プロセッサとを備えた表示装置と、撮像部と音声出力部と第２プロセッサとを備えた読取装置と、を含んで構成される情報読取システムを制御するためのプログラムであって、
前記表示装置の前記第１プロセッサを、
転送対象の情報を含む複数の画像のうち、第１の画像を前記表示部に表示させ、
前記第１の画像を表示させた後、前記読取装置から出力された確認音声信号が前記音声入力部に入力されたことを判定し、
前記確認音声信号の入力を判定する毎に、前記表示部に、前記表示されている第１の画像から、前記複数の画像のうちの第２以降の画像に切り替えて表示させる、
ように機能させ、
前記読取装置の前記第２プロセッサを、
前記撮像部により前記表示装置の表示部に表示された１つの画像を撮影する毎に、前記音声出力部により前記確認音声信号を出力させ、
前記撮像部により撮影された前記複数の画像から前記複数の画像に含まれる転送対象の情報を取得する、
ように機能させるためのプロセッサ読み込み可能なプログラム。
【発明の詳細な説明】
【技術分野】
【０００１】
本発明の実施形態は、画像の情報を表示して解析するための表示装置、読取装置、情報読取システム、情報読取方法、およびプログラムに関する。
【背景技術】
【０００２】
例えば、各種の消費者向けサービスにおいて、商品のパッケージや説明書に表記されている２次元コード（ＱＲコード（登録商標）など）の画像を、スマートフォンやタブレット端末により撮影して読み取ることで、当該２次元コードの情報に含まれるＷｅｂサイトのＵＲＬに自動アクセスし、商品に関する付加的なサービスを得ることが考えられている。
【先行技術文献】
【特許文献】
【０００３】
【特許文献１】特開２００６−３２１１７５号公報
【発明の概要】
【発明が解決しようとする課題】
【０００４】
また、電子辞書など、表示部を備えた電子機器において、専用のＷｅｂサイト（当該電子機器に対応するＷｅｂサイト）にアクセスしてサービスを受けるための情報を、２次元コードの画像として表示部に表示させ、タブレット端末などにより読み取らせる場合に、その情報を複数に分割して２次元コード１枚当たりの情報量を少なくし、その画像を簡易化することで読み取り易くした連結２次元コード（連結ＱＲコード）の使用が実施されている。
【０００５】
しかしながら、電子機器において、上記サービスを受けるための情報が複数に分割されて生成された複数の連結２次元コードの画像を、１枚ずつタブレット端末に読み取らせるには、当該タブレット端末を操作して１枚の連結２次元コードを読み取る毎に、電子機器を操作して次の連結２次元コードを表示させる作業、あるいは電子機器に複数枚並べて表示させた各連結２次元コードを、タブレット端末を移動させながら順番に読み取る作業が必要になる。
【０００６】
このため、ユーザにとって手間が掛かるのは勿論、簡易化した連結２次元コードであっても、正しく読み取れないことがある。
【０００７】
本発明は、このような課題に鑑みてなされたもので、転送対象の情報を含む複数枚の画像を容易に且つ正しく読み取ることが可能になる表示装置、読取装置、情報読取システム、情報読取方法、およびプログラムを提供することを目的とする。
【課題を解決するための手段】
【０００８】
本発明の実施形態に係る表示装置は、
表示部と、
音声入力部と、
第１制御部と、を備え、
前記第１制御部は、
転送対象の情報を含む複数の画像のうち、第１の画像を前記表示部に表示させ、
前記第１の画像を表示させた後、前記複数の画像の読み取りを行う外部の読取装置から出力された、画像の読み取りを確認するための確認音声信号が前記音声入力部に入力されたことを判定し、
前記確認音声信号の入力を判定する毎に、前記表示部に、前記表示されている第１の画像から、前記複数の画像のうちの第２以降の画像に切り替えて表示させる。
【０００９】
本発明の実施形態に係る読取装置は、
撮像部と、
音声出力部と、
第２制御部と、を備え、
前記第２制御部は、
前記撮像部により、外部の表示装置の表示部に切り替えて表示される、転送対象の情報を含む複数の画像のうちの１つの画像を撮影する毎に、画像の読み取りを確認するための確認音声信号を前記音声出力部に出力させ、
前記撮像部により撮影された前記複数の画像から前記複数の画像に含まれる転送対象の情報を取得する。
【００１０】
本発明の実施形態に係る情報解析システムは、
表示装置と読取装置とを含んで構成され、
前記表示装置は、
表示部と、
音声入力部と、
第１制御部と、を備え、
前記第１制御部は、
転送対象の情報を含む複数の画像のうち、第１の画像を前記表示部に表示させ、
前記第１の画像を表示させた後、前記読取装置から出力された確認音声信号が前記音声入力部に入力されたことを判定し、
前記確認音声信号の入力を判定する毎に、前記表示部に、前記表示されている第１の画像から、前記複数の画像のうちの第２以降の画像に切り替えて表示させ、
前記読取装置は、
撮像部と、
音声出力部と、
第２制御部と、を備え、
前記第２制御部は、
前記撮像部により前記表示装置の表示部に表示された１つの画像を撮影する毎に、前記音声出力部により前記確認音声信号を出力させ、
前記撮像部により撮影された前記複数の画像から前記複数の画像に含まれる転送対象の情報を取得する。
【図面の簡単な説明】
【００１１】
【図１】本発明の実施形態に係る情報読取システム１を構成する表示装置１０と読取装置２０を示す外観図。
【図２】情報読取システム１を構成する表示装置１０と読取装置２０の電子回路の構成を示すブロック図。
【図３】表示装置１０（電子辞書）の学習サイト用情報転送アプリケーションプログラム１９ｂに従った情報表示処理を示すフローチャート。
【図４】読取装置２０（タブレット端末）の学習サイト利用アプリケーションプログラム２６ｂに従った辞書登録処理を示すフローチャート。
【図５】読取装置２０（タブレット端末）の学習サイト利用アプリケーションプログラム２６ｂに従った情報解析処理を示すフローチャートである。
【図６】表示装置１０（電子辞書）の情報表示処理および読取装置２０（タブレット端末）の情報解析処理に応じた連結２次元コードＱ１，Ｑ２の表示および撮影動作を示す図。
【発明を実施するための形態】
【００１２】
以下図面を参照して本発明の実施の形態について説明する。
【００１３】
図１は、本発明の実施形態に係る情報読取システム１を構成する表示装置１０と読取装置２０を示す外観図である。
【００１４】
図２は、情報読取システム１を構成する表示装置１０と読取装置２０の電子回路の構成を示すブロック図である。
【００１５】
本実施形態において、図１に示すように、表示装置１０は、以下に説明する専用の電子辞書として構成されるか、表示機能および音声入力機能を備えたＰＤＡ(personal digital assistants)、ＰＣ(personal computer)、携帯電話、電子ブック、携帯ゲーム機などとして構成される。
【００１６】
また、読取装置２０は、以下に説明する撮像機能および音声出力機能を備えたタブレット端末として構成されるか、当該タブレット端末と同様の機能を備えたスマートフォンなどとして構成される。
【００１７】
以下、表示装置を電子辞書１０、読取装置をタブレット端末２０として説明する。
【００１８】
電子辞書１０は、その本体ケース１１と蓋体ケース１２とがヒンジ部１３を介して展開／閉塞可能な折り畳み型ケースを備えて構成される。折り畳み型ケースを展開した本体ケース１１の表面には、［ホーム］キー１４ａ、機能指定キー１４ｂ、文字入力キー１４ｃ、［訳／決定］キー１４ｄ、［戻る／リスト］キー１４ｅ、カーソルキー１４ｆ、［シフト］キー１４ｇなどを含むキー入力部（キーボード）１４、音声出力部（スピーカを含む）１５、および音声入力部（マイクを含む）１６が設けられる。
【００１９】
また、蓋体ケース１２の表面には、タッチパネル式表示部１７が設けられる。タッチパネル式表示部１７は、ユーザがペンや指などでタッチした位置を検出するタッチ位置検出装置と表示装置が一体となった構造であり、バックライト付きのカラー液晶表示画面に透明タッチパネルを重ねて構成される。
【００２０】
そして、タッチパネル式表示部１７の右端には、キー入力部１４における一部のキーの押下操作や本電子辞書１０の一部の機能の指定操作を、タッチ操作により行うためのキーや機能の表記（［ホーム］［レッスン］［訳／決定］など）が固定印刷されたタッチキーエリア１７Ａが設けられる。
【００２１】
キー入力部１４の［ホーム］キー１４ａは、表示部１７にホーム画面（図示せず）を表示させるためのキーである。
【００２２】
キー入力部１４の機能指定キー１４ｂは、各キーに表記されている辞書コンテンツ（［大辞典］など）、辞書コンテンツのカテゴリ（［国語］［古語］［漢和］［英和］など）、学習コンテンツのカテゴリ（［学習１］［学習２］）、［コンテンツ一覧］、ツールの1つのカテゴリ［学習帳］を、それぞれ直接指定するためのキーである。
【００２３】
また、キー入力部１４のキーは、［シフト］キー１４ｇが操作された後に続けて操作されることで、そのキートップに枠囲み無しで記載されたキー機能ではなく、枠囲みして記載されたキーとして機能できるようになっている。例えば、［シフト］キー１４ｇの操作後に［訳／決定］キー１４ｄが操作（以下、［シフト］＋［決定］キーと記す。）されると登録対象として指定されているデータを登録する機能を起動させるための［登録］キーとなる。［シフト］＋［削除］キーは［設定］キーとなる。
【００２４】
このようなキー入力部１４および表示部１７を設けた電子辞書１０は、辞書機能、学習支援機能などを備える。学習支援機能の1つとして、当該電子辞書１０に専用のＷｅｂサーバ（学習サイト）３０にアクセスして当該電子辞書１０を利用した学習に関する各種のサービスを受けるための学習サイト用情報転送機能（学習サイト用情報転送アプリケーションプログラム１９ｂ）を有する。
【００２５】
学習サイト用情報転送機能には、少なくとも、以下の２つの機能（１）（２）が含まれる。
（１）Ｗｅｂサーバ（学習サイト）３０のＵＲＬのデータと当該学習サイト３０に転送すべきデータ（転送対象データ）とを含む情報を、1つの２次元コード（本実施形態ではＱＲコード）Ｑまたは複数の連結２次元コード（本実施形態では連結ＱＲコード）Ｑ１，Ｑ２，…に変換し、当該変換した２次元コードＱの画像を表示部１７に２次元コード表示画面ＧＱｄとして表示させる機能。
（２）複数の連結２次元コードＱ１，Ｑ２，…の画像を表示部１７に順番に表示させる場合に、タブレット端末２０により個々の連結２次元コードＱｎの撮影（読み取り）が完了する毎にその音声出力部（スピーカ）２４から出力される確認音声データ（ＣＳ）を音声入力部（マイク）１６から入力し、次の連結２次元コードＱｎ＋１の画像を表示部１７にさせる機能。
【００２６】
タブレット端末２０は、ユーザが片手で把持できる程度の大きさの矩形状の本体ケースを備え、当該本体ケースには、タッチパネル式表示部２１、撮像部（カメラ）２２、音声入力部（マイク）２３、及び音声出力部（スピーカ）２４が設けられる。
【００２７】
このようなタッチパネル式表示部２１、撮像部２２、音声入力部２３、及び音声出力部２４を設けたタブレット端末２０は、電話通信やネットワーク通信を行うための通信機能、写真撮影を行うための撮像機能、および音声入出力機能のほか、ユーザ所望の各種のアプリケーションプログラムに対応した機能などを備える。本実施形態のタブレット端末２０では、当該通信機能、撮像機能、音声入出力機能のほかに、少なくとも、電子辞書１０と連携して当該電子辞書１０に専用のＷｅｂサーバ（学習サイト）３０から各種のサービスを受けるための学習サイト利用機能（学習サイト利用アプリケーションプログラム２６ｂ）を備える。
【００２８】
学習サイト利用アプリケーションプログラム２６ｂは、例えば、電子辞書１０の提供元により予め定められたＷｅｂサーバ（プログラムサーバ）３０からダウンロードされてインストールされる。
【００２９】
学習サイト利用機能には、少なくとも、以下の３つの機能（１）〜（３）が含まれる。
（１）電子辞書１０の表示部１７（ＧＱｄ）に表示された２次元コードＱの画像を、撮影機能を起動させて撮影する機能。
（２）撮影して読み取った２次元コードＱを復号化して取得した情報に、当該２次元コードＱが連結２次元コードＱｎであることを示す情報が含まれているかを判定する機能。
（３）読み取った２次元コードＱが連結２次元コードＱｎであると判定された際に、当該連結２次元コードＱｎの読み取りの確認（ここでは、連結２次元コードＱｎの読み取りの確認完了）を表す確認音声データ（ＣＳ）を音声出力部２４から出力させる機能。
【００３０】
なお、連結２次元コードＱｎの読み取りの確認を表す確認音声データ（ＣＳ）は、撮影対象の連結２次元コードＱｎを表示させた電子辞書１０の固有の情報（辞書ＩＤコード）と、連結２次元コードＱｎの情報に含まれるパリティコードとに応じて生成される。例えば、確認音声データ（ＣＳ）は、辞書ＩＤコードとパリティコードに対応するデジタル音声を含めた電子音声（ビープ音）として生成される。また、確認音声データ（ＣＳ）である電子音声は、人には聴こえない音域の音声透かし技術を用いた電子音声として生成してもよい。
【００３１】
図２の（Ａ）に示すように、電子辞書１０の電子回路は、制御部としてのＣＰＵ（プロセッサ）１８を備える。
【００３２】
ＣＰＵ１８は、記憶部１９に予め記憶されているプログラム、またはメモリカードなどの外部記録媒体１９Ａから記録媒体読取部１９Ｂに読み取られて記憶部１９に記憶されたプログラム、または外部のパーソナルコンピュータ（図示せず）から通信部（有線通信）１０Ｃを介してダウンロードされ記憶部１９に記憶（インストール）されたプログラムに従って回路各部の制御を実行する。
【００３３】
ＣＰＵ１８には、キー入力部１４、音声出力部１５、音声入力部１６、タッチパネル式表示部１７、記憶部１９、記録媒体読取部１９Ｂ、および通信部１０Ｃを接続する。
【００３４】
記憶部１９は、本電子辞書１０の全体の動作を制御するための電子辞書制御プログラム１９ａ、当該電子辞書１０に専用のＷｅｂサーバ（学習サイト）３０にアクセスして当該電子辞書１０を利用した学習に関する各種のサービスを受けるための学習サイト用情報転送アプリケーションプログラム１９ｂを記憶する。
【００３５】
また、記憶部１９は、漢字辞書データ、国語辞書データ、英和辞書データなどの各種の辞書データを記憶する辞書データベースエリア１９ｃ、例えば、学習サイト３０のＵＲＬのデータと当該学習サイト３０に転送すべきデータ（転送対象データ）とを含む情報に基づき生成された1つの２次元コードＱまたは複数の連結２次元コードＱ１，Ｑ２，…のデータを記憶する２次元コードデータエリア１９ｄ、当該２次元コードＱまたは連結２次元コードＱ１，Ｑ２，…の画像データを記憶する２次元コード画像データエリア１９ｅ、および本電子辞書１０の固有の識別情報（辞書ＩＤ）のデータを記憶する辞書ＩＤデータエリア１９ｆなどを有する。
【００３６】
このように構成された情報読取システム１の表示装置１０（電子辞書）は、ＣＰＵ１８が、電子辞書制御プログラム１９ａおよび学習サイト用情報転送アプリケーションプログラム１９ｂに記述された命令に従い回路各部の動作を制御し、ソフトウエアとハードウエアとが協働して動作することにより、以下の動作説明で述べるような情報表示機能などを実現する。
【００３７】
また、図２の（Ｂ）に示すように、タブレット端末２０の電子回路は、制御部としてのＣＰＵ（プロセッサ）２５を備える。
【００３８】
ＣＰＵ２５は、記憶部２６に予め記憶されているプログラム、またはメモリカードなどの外部記録媒体２７から記録媒体読取部２８に読み取られて記憶部２６に記憶されたプログラム、または通信ネットワークＮ上のＷｅｂサーバ３０（ここではプログラムサーバ）から通信部（無線通信／有線通信）２９を介してダウンロードされ記憶部２６に記憶（インストール）されたプログラムに従って回路各部の制御を実行する。
【００３９】
ＣＰＵ２５には、タッチパネル式表示部２１、撮像部２２、音声入力部２３、音声出力部２４、記憶部２６、記録媒体読取部２８、および通信部２９を接続する。
【００４０】
記憶部２６は、本タブレット端末２０の全体の動作を制御するための端末制御プログラム２６ａ、電子辞書１０と連携して当該電子辞書１０に専用のＷｅｂサーバ（学習サイト）３０から各種のサービスを受けるための学習サイト利用アプリケーションプログラム２６ｂを記憶する。
【００４１】
また、記憶部２６は、辞書ＩＤデータエリア２６ｃ、撮影画像データエリア２６ｄ、デコードデータエリア２６ｅ、確認音声データエリア２６ｆ、およびサイト取得データエリア２６ｇなどを有する。
【００４２】
辞書ＩＤデータエリア２６ｃは、本タブレット端末２０と連携して使用される電子辞書１０の辞書ＩＤコードのデータを記憶する。
【００４３】
撮影画像データエリア２６ｄは、撮像部２２により撮影された２次元コードＱ（あるいは連結２次元コードＱｎ）などの画像データを記憶する。
【００４４】
デコードデータエリア２６ｅは、撮影された２次元コードＱ（あるいは連結２次元コードＱｎ）を復号化（デコード）したデータを記憶する。
【００４５】
確認音声データエリア２６ｆは、辞書ＩＤデータエリア２６ｃに登録された辞書ＩＤコードとデコードデータエリア２６ｅに記憶された連結２次元コードＱｎに含まれるパリティコードとに応じて生成された、連結２次元コードＱｎの読み取りの確認を表すための確認音声データ（ＣＳ）を記憶する。
【００４６】
サイト取得データエリア２６ｇは、学習サイトなどのＷｅｂサーバ３０にアクセスして取得された各種のデータを記憶する。
【００４７】
このように構成された情報読取システム１の読取装置２０（タブレット端末）は、ＣＰＵ２５が、端末制御プログラム２６ａおよび学習サイト利用アプリケーションプログラム２６ｂに記述された命令に従い回路各部の動作を制御し、ソフトウエアとハードウエアとが協働して動作することにより、以下の動作説明で述べるような辞書登録機能や情報解析機能などを実現する。
【００４８】
次に、このように構成された情報読取システム１の動作について説明する。
【００４９】
図３は、表示装置１０（電子辞書）の学習サイト用情報転送アプリケーションプログラム１９ｂに従った情報表示処理を示すフローチャートである。
【００５０】
図４は、読取装置２０（タブレット端末）の学習サイト利用アプリケーションプログラム２６ｂに従った辞書登録処理を示すフローチャートである。
【００５１】
図５は、読取装置２０（タブレット端末）の学習サイト利用アプリケーションプログラム２６ｂに従った情報解析処理を示すフローチャートである。
【００５２】
図６は、表示装置１０（電子辞書）の情報表示処理および読取装置２０（タブレット端末）の情報解析処理に応じた連結２次元コードＱ１，Ｑ２の表示および撮影動作を示す図である。
【００５３】
情報読取システム１において、電子辞書１０とタブレット端末２０とを連携させて、当該電子辞書１０に専用の学習サイト３０を利用するためには、予め、当該タブレット端末２０に当該電子辞書１０の固有の識別情報を対応付けて登録し、同電子辞書１０とタブレット端末２０との対応関係を確立する（図４参照）。
【００５４】
タブレット端末２０において、例えば、電子辞書１０の提供元から知らされた学習サイト３０のＵＲＬにアクセスし、当該学習サイト３０に接続する（ステップＲ１）。
【００５５】
すると、学習サイト３０から、電子辞書１０の本体情報（例えばシリアルナンバー）の入力をユーザに促すための本体情報入力画面が受信され、表示部２１に表示される。
【００５６】
表示部２１に表示された本体情報入力画面に従い、電子辞書１０の本体情報を入力すると（ステップＲ２）、学習サイト３０において管理（記憶）されている当該電子辞書１０の本体情報と辞書ＩＤとを対応付けた管理情報に基づいて、当該学習サイト３０から辞書ＩＤのデータが受信され（ステップＲ３）、受信された辞書ＩＤのデータが記憶部２６の辞書ＩＤデータエリア２６ｃに登録される（ステップＲ４）。
【００５７】
なお、タブレット端末２０に電子辞書１０の固有の識別情報を対応付けて登録する手法は、図４のフローチャートに示す手法に限らず、他のどのような手法であってもよい。
【００５８】
以下、電子辞書１０とタブレット端末２０とを連携させて学習サイト３０を利用する場合の一例について説明する（図３、図５、図６参照）。本実施形態では、電子辞書１０をユーザが使用することにより当該電子辞書１０に蓄積（記憶）された言語検索の履歴情報（検索履歴情報）に基づいて、学習サイト３０から、ユーザ自身の電子辞書１０での検索履歴情報と他のユーザの電子辞書１０での検索履歴情報との比較が容易に行える各ユーザの言語検索の進捗情報（学習進捗情報）を取得する場合について説明する。
【００５９】
電子辞書１０において、例えば、［ホーム］キー１４ａの操作に応じて表示部１７に表示されたホーム画面において、当該ホーム画面に含まれる、学習サイト３０を利用するためのアイコンを選択して［訳／決定］キー１４ｄを操作すると、ＣＰＵ１８は、記憶部１９に記憶されている言語検索の検索履歴情報を読み出し、学習サイト３０への転送対象データとして取得する（ステップＤ１）。
【００６０】
そして、ＣＰＵ１８は、取得した転送対象データの情報を含む２次元コードＱ（ここでは、転送対象データの情報を分割して含む連結２次元コードＱ１，Ｑ２）を生成し（ステップＤ２）、生成した連結２次元コードＱ１，Ｑ２のうちの１枚目の連結２次元コードＱ１の画像を、図６の（Ａ）に示すように、表示部１７に表示させた２次元コード表示画面ＧＱｄの所定の位置に表示させる（ステップＤ３）。
【００６１】
ここで、２次元コード表示画面ＧＱｄには、連結２次元コードＱｎの画像と、表示された２次元コードの読み取りをユーザに促すためのコード読み取りメッセージ「ＱＲコードを…読み取りましょう。」と、読み取り対象の２次元コードが連結２次元コードＱ１，Ｑ２のうちの何枚目の連結２次元コードＱｎであるかを示す枚数表記［ｎ／２］とが含まれる。
【００６２】
ＣＰＵ１８は、２次元コード表示画面ＧＱｄに表示させた２次元コードが連結２次元コードＱｎであると判定すると（ステップＤ４のＹｅｓ）、音声入力部（マイク）１６を起動させ、外部からの音声データの入力を待機する（ステップＤ５）。
【００６３】
タブレット端末２０において、例えば、当該タブレット端末２０の表示部２１に表示された待ち受け画面に含まれる学習サイト３０を利用するためのアイコンが、ユーザにタッチされて指定されると、ＣＰＵ２５は、学習サイト利用アプリケーションプログラム２６ｂを起動し（ステップＳ１）、当該プログラム２６ｂに従い撮像部（カメラ）２２を起動させる（ステップＳ２）。
【００６４】
そして、ＣＰＵ２５は、タブレット端末２０の動作モードを、２次元コードの撮影モードに設定し、表示部２１に２次元コード読み取り画面ＧＱｒを表示させる（ステップＳ３）。
【００６５】
ここで、図６の（Ａ）に示すように、電子辞書１０に表示されている２次元コード表示画面ＧＱｄに対して、タブレット端末２０の撮像部２２が向き合うように当該タブレット端末２０を移動させ、撮像部２２により撮像された連結２次元コードＱ１の画像が２次元コード読み取り画面ＧＱｒの所定の範囲に収まるように位置させると、ＣＰＵ２５は、例えば、撮像部２２の自動焦点が撮像中の連結２次元コードＱ１の画像に合った状態を判定して当該連結２次元コードＱ１を自動撮影し、撮影した連結２次元コードＱ１の画像を撮影画像データエリア２６ｄに記憶させる（ステップＳ４）。
【００６６】
すると、ＣＰＵ２５は、撮影画像データエリア２６ｄに記憶された連結２次元コードＱ１の画像に基づいて、当該連結２次元コードＱ１に含まれる転送対象データ（分割された１つ目の検索履歴情報）をデコード（復号化）して取得し、デコードデータエリア２６ｅに記憶させる（ステップＳ５）。
【００６７】
ＣＰＵ２５は、デコードデータエリア２６ｅに記憶された１つ目の検索履歴情報（連結２次元コードＱ１，Ｑ２のうちの１枚目に対応する情報であることを含む）に基づいて、当該情報の取得が完了していないと判定し（ステップＳ６のＮｏ）、辞書ＩＤデータエリア２６ｃに登録された電子辞書１０の辞書ＩＤコードと、デコードされた連結２次元コードＱ１のパリティコードと、に対応する確認音声データＣＳを生成し、確認音声データエリア２６ｆに記憶させる（ステップＳ７）。
【００６８】
そして、ＣＰＵ２５は、図６の（Ａ）に示すように、生成した確認音声データＣＳの音声信号を音声出力部（スピーカ）２４により出力させ（ステップＳ８）、次の連結２次元コードＱｎ（ここでは、２枚目の連結２次元コードＱ２）の撮影を待機する（ステップＳ４）。
【００６９】
電子辞書１０において、タブレット端末２０から出力された確認音声データＣＳの音声信号が当該電子辞書１０の音声入力部（マイク）１６に入力されると、ＣＰＵ１８は、入力された確認音声データＣＳに含まれる辞書ＩＤコードと連結２次元コードＱ１のパリティコードとを解析し（ステップＤ６）、解析された辞書ＩＤコードとパリティコードが、本電子辞書１０の辞書ＩＤデータエリア１９ｆに記憶されている辞書ＩＤコードとステップＤ３にて表示済みの（２次元コードデータエリア１９ｄに記憶されている）連結２次元コードＱ１のパリティコードに一致するか否かを判定する（ステップＤ７）。
【００７０】
ここで、タブレット端末２０から音声入力された確認音声データＣＳに含まれる辞書ＩＤコードとパリティコードが、本電子辞書１０の辞書ＩＤコードと表示済みの連結２次元コードＱ１のパリティコードに一致すると判定されることで、当該表示済みの連結２次元コードＱ１が本電子辞書１０と対応関係にあるタブレット端末２０により正しく読み取られたことが確認できると（ステップＤ７のＹｅｓ）、ＣＰＵ１８は、ステップＤ２にて生成した連結２次元コードＱ１，Ｑ２のうちの２枚目の連結２次元コードＱ２の画像、つまり次の連結２次元コードＱ２の画像を、図６の（Ｂ）に示すように、表示部１７に表示させた２次元コード表示画面ＧＱｄの所定の位置に表示させる（ステップＤ８）。
【００７１】
すると、次の連結２次元コードＱｎ（ここでは、２枚目の連結２次元コードＱ２）の撮影を待機しているタブレット端末２０では、図６の（Ｂ）に示すように、当該タブレット端末２０の電子辞書１０（２次元コード表示画面ＧＱｄ）に対する位置を移動させることなく、そのまま保持しているだけで、前述したステップＳ４，Ｓ５の処理に従い、次の連結２次元コードＱ２の自動撮影およびデコード（復号化）による転送対象データ（分割された２つ目の検索履歴情報）の取得が行われる。
【００７２】
そして、タブレット端末２０において、デコードデータエリア２６ｅに記憶された２つ目の検索履歴情報（連結２次元コードＱ１，Ｑ２のうちの２枚目または最後に対応する情報であることを含む）に基づいて、当該情報の取得が完了したと判定されると（ステップＳ６のＹｅｓ）、取得した情報（本実施形態では、ユーザによる電子辞書１０での検索履歴情報）に対応した処理が実行される（ステップＳ９）。
【００７３】
すなわち、本実施形態では、タブレット端末２０において、ＣＰＵ２５により、通信部２９を介して学習サイト３０に接続され、電子辞書１０から取得した転送対象データである言語の検索履歴情報を当該学習サイト３０に送信（転送）する。そして、当該検索履歴情報の学習サイト３０への送信（転送）に応答して同学習サイト３０にて生成された、複数の電子辞書１０のユーザの言語検索の進捗情報（学習進捗情報）を受信して取得し、サイト取得データエリア２６ｇに記憶させると共に、表示部２１に表示させる（ステップＳ９）。
【００７４】
これにより、タブレット端末２０の表示部２１に表示された複数の電子辞書１０のユーザの言語検索の進捗情報（学習進捗情報）に基づいて、ユーザ自身の言語検索に応じた学習進捗状況と他のユーザの言語検索に応じた学習進捗状況とを容易に比較でき、今後の語学学習に役立てることが可能になる。
【００７５】
電子辞書１０において、ステップＤ２にて生成した全ての連結２次元コード（ここでは、Ｑ１，Ｑ２）の表示が完了したと判定されると（ステップＤ９のＹｅｓ）、ＣＰＵ１８は、図３に従った一連の情報表示処理を終了する。なお、ステップＤ３，Ｄ４にて、２次元コード表示画面ＧＱｄに表示させた２次元コードが連結２次元コードＱｎでなく、１枚の２次元コードＱであると判定された場合も（ステップＤ４のＮｏ）、ＣＰＵ１８は、図３に従った一連の情報表示処理を終了する。
【００７６】
一方、電子辞書１０において、ステップＤ２にて生成した全ての連結２次元コードＱ１，Ｑ２，…，Ｑｎの表示が完了していないと判定されると（ステップＤ９のＮｏ）、ＣＰＵ１８は、ステップＤ５からの処理に戻り、音声入力部（マイク）１６を再び起動させ、ステップＤ８にて表示させた連結二次元コードＱｎに対応する次の確認音声データＣＳの入力を待機する（ステップＤ５）。
【００７７】
したがって、このように構成された情報読取システム１によれば、電子辞書（表示装置）１０から当該電子辞書１０に専用の学習サイト３０へ転送したい転送対象データを、連結２次元コードＱ１，Ｑ２，…に変換し、各連結２次元コードＱ１，Ｑ２，…を表示部１７の所定の位置に順番に表示させる。そして、表示される各連結２次元コードＱ１，Ｑ２，…を、タブレット端末（読取装置）２０により順番に読み取りデコード（復号化）し、デコードされた転送対象データを、学習サイト３０に接続して転送する。
【００７８】
この際、タブレット端末２０は、各連結２次元コードＱｎを自動撮影して読み取る毎に、読み取った連結２次元コードＱｎのパリティコードと予め登録した電子辞書１０の辞書ＩＤコードとに応じた確認音声データＣＳを生成して音声出力する。電子辞書１０は、音声入力部１６から入力される確認音声データＣＳに含まれるパリティコードと辞書ＩＤコードを解析して、表示済みの連結２次元コードＱｎのパリティコードと電子辞書１０自身の辞書ＩＤコードに一致するかを判定し、一致したと判定する毎に次の連結２次元コードＱｎ＋１を表示部１７の所定の位置に表示させ、タブレット端末２０に読み取らせる。
【００７９】
これにより、１枚目の連結２次元コードＱ１を撮影した後に、次の連結２次元コードＱ２，Ｑ３，…の撮影を待機しているタブレット端末２０では、当該タブレット端末２０の電子辞書１０に対する位置を移動させることなく、そのまま保持しているだけで、順次、次の連結２次元コードＱ２，Ｑ３，…の自動撮影およびデコード（復号化）による転送対象データの取得を容易に且つ確実に行うことができる。
【００８０】
よって、本実施形態において説明した情報読取システム１によれば、転送対象の情報を含む複数枚の画像を、電子辞書（表示装置）１０のユーザ操作によって切り替えて表示させる作業や電子辞書（表示装置）１０に通信デバイスを設けて転送する必要なく、タブレット端末（読取装置）２０により容易に且つ正しく読み取ることが可能になる。
【００８１】
なお、本実施形態の情報読取システム１は、連結２次元コード（連結ＱＲコードなど）を順番に読み取る場合について説明したが、これに限らず、連結１次元コード（連結バーコードなど）を順番に読み取る場合であっても、同様に実施することができる。
【００８２】
前記実施形態において記載した、情報読取システム１による各処理の手法、すなわち、図３のフローチャートに示す電子辞書１０（表示装置）による情報表示処理、図４，図５のフローチャートに示すタブレット端末２０（読取装置）による辞書登録処理および情報解析処理の各手法は、何れも制御部であるＣＰＵ（プロセッサ）に実行させることができるプログラムとして、メモリカード（ＲＯＭカード、ＲＡＭカード等）、磁気ディスク（フロッピ（登録商標）ディスク、ハードディスク等）、光ディスク（ＣＤ−ＲＯＭ、ＤＶＤ等）、半導体メモリ等の外部記録媒体に格納して配布することができる。そして、電子機器のＣＰＵ（プロセッサ）は、この外部記録媒体に記録されたプログラムを記憶装置に読み込み、この読み込んだプログラムによって動作が制御されることにより、前記実施形態において説明した情報表示機能や情報解析機能を実現し、前記実施形態と同様の処理を実行することができる。
【００８３】
また、前記各手法を実現するためのプログラムのデータは、プログラムコードの形態として通信ネットワーク（Ｎ）上を伝送させることができ、この通信ネットワーク（Ｎ）に接続されたプログラムサーバ（３０）から当該プログラムのデータを、電子機器に取り込んで記憶装置に記憶させ、前述した情報表示機能や情報解析機能を実現することもできる。
【００８４】
なお、本発明は、前記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、前記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【００８５】
以下に、本願出願の当初の特許請求の範囲に記載された発明を付記する。
【００８６】
［付記１］
表示部と、
音声入力部と、
第１制御部と、を備え、
前記第１制御部は、
転送対象の情報を含む複数の画像のうち、第１の画像を前記表示部に表示させ、
前記第１の画像を表示させた後、前記複数の画像の読み取りを行う外部の読取装置から出力された、画像の読み取りを確認するための確認音声信号が前記音声入力部に入力されたことを判定し、
前記確認音声信号の入力を判定する毎に、前記表示部に、前記表示されている第１の画像から、前記複数の画像のうちの第２以降の画像に切り替えて表示させる、
表示装置。
【００８７】
［付記２］
前記第１制御部は、
前記第１の画像を表示させた後、前記外部の読取装置から出力された前記確認音声信号を前記音声入力部により入力させ、
前記確認音声信号が入力される毎に、前記確認音声信号に含まれる表示装置の識別情報と画像の確認情報が本表示装置の識別情報と前記表示部に表示させた画像に対応する確認情報に一致するかを判定し、
前記一致していることを判定する毎に、前記表示部に、前記表示されている第１の画像から、前記複数の画像のうちの第２以降の画像に切り替えて表示させる、
付記１に記載の表示装置。
【００８８】
［付記３］
前記複数の画像は、転送対象の情報を分割して符号化した連結２次元コードまたは連結１次元コードの画像であり、
前記画像の確認情報は、前記連結２次元コードまたは連結１次元コードのパリティ情報である、
付記２に記載の表示装置。
【００８９】
［付記４］
撮像部と、
音声出力部と、
第２制御部と、を備え、
前記第２制御部は、
前記撮像部により、外部の表示装置の表示部に切り替えて表示される、転送対象の情報を含む複数の画像のうちの１つの画像を撮影する毎に、画像の読み取りを確認するための確認音声信号を前記音声出力部に出力させ、
前記撮像部により撮影された前記複数の画像から前記複数の画像に含まれる転送対象の情報を取得する、
読取装置。
【００９０】
［付記５］
前記第２制御部は、
前記撮像部により、外部の表示装置の表示部に切り替えて表示される、転送対象の情報を含む複数の画像のうちの１つの画像を撮影する毎に、前記表示装置の識別情報と前記撮影した画像の確認情報とを含ませた前記確認音声信号を生成し、
前記生成した確認音声信号を前記音声出力部に出力させる、
付記４に記載の読取装置。
【００９１】
［付記６］
前記複数の画像は、転送対象の情報を分割して符号化した連結２次元コードまたは連結１次元コードの画像であり、
前記画像の確認情報は、前記連結２次元コードまたは連結１次元コードのパリティ情報である、
付記５に記載の読取装置。
【００９２】
［付記７］
表示装置と読取装置とを含んで構成され、
前記表示装置は、
表示部と、
音声入力部と、
第１制御部と、を備え、
前記第１制御部は、
転送対象の情報を含む複数の画像のうち、第１の画像を前記表示部に表示させ、
前記第１の画像を表示させた後、前記読取装置から出力された確認音声信号が前記音声入力部に入力されたことを判定し、
前記確認音声信号の入力を判定する毎に、前記表示部に、前記表示されている第１の画像から、前記複数の画像のうちの第２以降の画像に切り替えて表示させ、
前記読取装置は、
撮像部と、
音声出力部と、
第２制御部と、を備え、
前記第２制御部は、
前記撮像部により前記表示装置の表示部に表示された１つの画像を撮影する毎に、前記音声出力部により前記確認音声信号を出力させ、
前記撮像部により撮影された前記複数の画像から前記複数の画像に含まれる転送対象の情報を取得する、
情報読取システム。
【００９３】
［付記８］
表示部と音声入力部と第１制御部とを備えた表示装置と、撮像部と音声出力部と第２制御部とを備えた読取装置と、を含んで構成される情報読取システムの情報読取方法であって、
前記表示装置の前記第１制御部により、
転送対象の情報を含む複数の画像のうち、第１の画像を前記表示部に表示させ、
前記第１の画像を表示させた後、前記読取装置から出力された確認音声信号が前記音声入力部に入力されたことを判定し、
前記確認音声信号の入力を判定する毎に、前記表示部に、前記表示されている第１の画像から、前記複数の画像のうちの第２以降の画像に切り替えて表示させ、
前記読取装置の前記第２制御部により、
前記撮像部により前記表示装置の表示部に表示された１つの画像を撮影する毎に、前記音声出力部により前記確認音声信号を出力させ、
前記撮像部により撮影された前記複数の画像から前記複数の画像に含まれる転送対象の情報を取得する、
情報読取方法。
【００９４】
［付記９］
表示部と音声入力部と第１プロセッサとを備えた表示装置と、撮像部と音声出力部と第２プロセッサとを備えた読取装置と、を含んで構成される情報読取システムを制御するためのプログラムであって、
前記表示装置の前記第１プロセッサを、
転送対象の情報を含む複数の画像のうち、第１の画像を前記表示部に表示させ、
前記第１の画像を表示させた後、前記読取装置から出力された確認音声信号が前記音声入力部に入力されたことを判定し、
前記確認音声信号の入力を判定する毎に、前記表示部に、前記表示されている第１の画像から、前記複数の画像のうちの第２以降の画像に切り替えて表示させる、
ように機能させ、
前記読取装置の前記第２プロセッサを、
前記撮像部により前記表示装置の表示部に表示された１つの画像を撮影する毎に、前記音声出力部により前記確認音声信号を出力させ、
前記撮像部により撮影された前記複数の画像から前記複数の画像に含まれる転送対象の情報を取得する、
ように機能させるためのプロセッサ読み込み可能なプログラム。
【符号の説明】
【００９５】
１  …情報読取システム
１０  …表示装置（電子辞書）
２０  …読取装置（タブレット端末）
３０  …Ｗｅｂサーバ（学習サイト）
Ｎ  …通信ネットワーク
ＧＱｄ…２次元コード表示画面
ＧＱｒ…２次元コード読み取り画面
１４  …キー入力部
１６  …音声入力部（マイク）
１７、２１…タッチパネル式表示部
１８、２５…ＣＰＵ（プロセッサ）
１９、２６…記憶部
１９ａ…電子辞書制御プログラム
１９ｂ…学習サイト用情報転送アプリケーションプログラム
１９ｄ…２次元コードデータエリア
１９ｅ…２次元コード画像データエリア
１９ｆ、２６ｃ…辞書ＩＤデータエリア
２２  …撮像部（カメラ）
２４  …音声出力部（スピーカ）
２６ａ…端末制御プログラム
２６ｂ…学習サイト利用アプリケーションプログラム
２６ｄ…撮影画像データエリア
２６ｅ…デコードデータエリア
２６ｆ…確認音声データ（ＣＳ）エリア
２６ｇ…サイト取得データエリア
２９  …通信部
【図１】
2020071765.tif 000003
【図２】
2020071765.tif 000004
【図３】
2020071765.tif 000005
【図４】
2020071765.tif 000006
【図５】
2020071765.tif 000007
【図６】
2020071765.tif 000008